(57)【要約】      （修正有）【課題】小型軽量で円筒形状の径外側方向に均等に散光するＬＥＤ散光灯を提供する。【解決手段】円筒状で、周壁部が透明材料で形成されたケーシング１６と、ケーシング１６に収められ、その透明の周壁部内面と対向するように設けられた円筒状の支持部材１２と、支持部材１２の外周を軸方向に端部より中間部まで等間隔で設けられた複数のスリットとを備え、支持部材１２の外周面に周方向に帯状に設けられたシート状のＬＥＤ基板１５と、ＬＥＤ基板１５に、実装面側が外向きとなるよう周方向に等間隔で配列された複数のＬＥＤとを有し、ＬＥＤ基板１５をスリットに挿入してケーシング１６の透明周壁部に沿わせて円筒状に湾曲させ、複数のＬＥＤがケーシング１６の透明周壁部内面と対向し固設されるとともに、径方向外側に光を放射して周囲に照射する。【選択図】図１
0003203576.tif 000002
【実用新案登録請求の範囲】
【請求項１】
円筒状で、周壁部が透明材料で形成されたケーシングと、
前記ケーシングに収められ、その透明の周壁部内面と対向するように設けられた円筒状の支持部材と、
前記支持部材は、外周を軸方向に端部より中間部まで等間隔で設けられた複数のスリットとを備え、
前記支持部材の外周面に周方向に帯状に設けられたシート状のＬＥＤ基板と、
前記ＬＥＤ基板に、実装面側が外向きとなるよう周方向に等間隔で配列された複数のＬＥＤとを有し、前記プリント基板を前記スリットに挿入して前記ケーシングの透明周壁部に沿わせて円筒状に湾曲させ、前記複数のＬＥＤがケーシングの透明周壁部内面と対向し固設されるとともに、径方向外側に光を放射して周囲に照射することを特徴とするＬＥＤ散光灯。
【請求項２】
請求項１記載のＬＥＤ散光灯において、前記複数のＬＥＤを駆動制御する制御基板は、前記支持部材の内周部に収められるように配置されたことを特徴とするＬＥＤ散光灯。
【請求項３】
請求項１又は２記載のＬＥＤ散光灯において、前記複数のＬＥＤを駆動制御する制御基板に供給する電源基板は、前記ケーシングの下部に設けられた台座の裏面側に設けられたことを特徴とするＬＥＤ散光灯。
【考案の詳細な説明】
【技術分野】
【０００１】
この考案は、ＬＥＤを用いたＬＥＤ散光灯に関する。
【背景技術】
【０００２】
従来、円筒形のＬＥＤ照明灯は、円筒形の外周面から径方向に３６０度全方向に外側に光を放射するように、複数のＬＥＤを配置している。しかし、その複数のＬＥＤを駆動する回路の電圧やそのドライバー発熱を考慮して、円筒形状の周方向に均等に複数に分割されたプリント基板にそれぞれＬＥＤが実装されているものがあったが、それぞれの電源電圧の関係でプリント基板ごとに駆動するＬＥＤの数が限られるので駆動回路をプリント基板ごとに設ける必要があり、さらに、周方向に少なくても所定間隔角度でそれぞれ配置する必要があった。また、そのような技術は、特許文献１に記載されたものもあった。
【先行技術文献】
【特許文献】
【０００３】
【特許文献１】特開２０１５−００２１１１号
【考案の概要】
【考案が解決しようとする課題】
【０００４】
本考案が解決しようとする課題は、小型軽量で円筒形状の径外側方向に均等に散光するＬＥＤ散光灯を提供することを目的としている。
【課題を解決するための手段】
【０００５】
前記目的に沿う第一の考案に係るＬＥＤ散光灯は、円筒状で、周壁部が透明材料で形成されたケーシングと、前記ケーシングに収められ、その透明の周壁部内面と対向するように設けられた円筒状の支持部材と、前記支持部材は、外周を軸方向に端部より中間部まで等間隔で設けられた複数のスリットとを備え、前記支持部材の外周面に周方向に帯状に設けられたシート状のＬＥＤ基板と、前記ＬＥＤ基板に、実装面側が外向きとなるよう周方向に等間隔で配列された複数のＬＥＤとを有し、前記プリント基板を前記スリットに挿入して前記ケーシングの透明周壁部に沿わせて円筒状に湾曲させ、前記複数のＬＥＤがケーシングの透明周壁部内面と対向し固設されるとともに、径方向外側に光を放射して周囲に照射する。
【０００６】
その結果、支持部材の外周面に周方向に帯状に設けられたシート状のＬＥＤ基板に実装面側が外向きとなるよう周方向に等間隔で配列された複数のＬＥＤとを有し、プリント基板を支持部材のスリットに挿入して前記ケーシングの透明周壁部に沿わせて円筒状に湾曲させることで、確実に、半円の周方向に複数のＬＥＤを配置することができ、ＬＥＤ実装基板を削減することができる。その結果、ＬＥＤ散光灯の部品点数を減少させ軽量化することができる。
【０００７】
前記目的に沿う第二の考案に係るＬＥＤ散光灯は、前記複数のＬＥＤを駆動制御する制御基板は、前記支持部材の内周部に収められるように配置された。
【０００８】
その結果、支持部材の内周部の空間に制御基板を配置することで、空いた空間を有効に利用することができ、ＬＥＤ散光灯を小型化できる。
【０００９】
前記目的に沿う第三の考案に係るＬＥＤ散光灯は、前記複数のＬＥＤを駆動制御する制御基板に供給する電源基板は、前記ケーシングの下部に設けられた台座の裏面側に設けられた。
【００１０】
その結果、電源基板の放熱が台座を介して外部に放熱されるので、ＬＥＤ散光灯を小型化できる。
【考案の効果】
【００１１】
第一から第三の考案に係るＬＥＤ散光灯においては、ＬＥＤ散光灯の部品点数を減少させ、ＬＥＤ基板、制御基板、電源基板を効率よく配置して小型化ができるようになる。
【図面の簡単な説明】
【００１２】
【図１】本考案を一実施の形態であるＬＥＤ散光灯の正面図である。
【図２】同ＬＥＤ散光灯の組み立て説明図である。
【図３】同ＬＥＤ散光灯の支持部材の説明図である。
【図４】同ＬＥＤ散光灯のＬＥＤ基板の説明図である。
【考案を実施するための形態】
【００１３】
本考案の実施例を図１〜図４に示す図に基づいて説明する。
図１に示すように、本考案の一実施の形態にかかるＬＥＤ散光灯１０は、ＡＢＳ樹脂でできた３つの足をもつ台座１３に、透明のポリカーボネイト製の円筒形状の外筒であるケーシング１６は軸方向が上下になるように載置されている。そして、そのケーシング１６の内部空間に光を散光するＬＥＤ基板１５、１５ｂが周方向に巻かれた円筒形状の内筒である支持部材１２が、カバー１７（アルミ製）を介して２つ並行して設けられている。それらケーシング１６、支持部材１２の上部は、アルミニューム製の上部蓋１１で覆われている。また、台座１３の下面には、アルミニューム製のヒートシンク１４が備えられている。
【００１４】
このように、支持部材１２の周方向に設けられたＬＥＤ基板に等間隔に設けられたにＬＥＤが全周方向に光を発することにより、ケーシング１６を介して周囲を明るく照らしている。また、ＬＥＤ点灯状態は、周期的に点滅する閃光でも、常時点灯する状態でも、制御部の指令により設定ができる。
あと、このＬＥＤ散光灯１０の高さは、７７．５ｍｍであり、台座１３の径は９５ｍｍとなっている。
【００１５】
次に、本考案の一実施の形態にかかるＬＥＤ散光灯１０の詳細について、図２を用いて説明する。図２に示すように、ＬＥＤ散光灯１０の下部にある台座１３の下面側には、ＬＥＤや制御部に電源を供給する電源基板１９が設けられ、その電源基板１９を介して、その下面側に、アルミ製のヒートシンク１６が設けられている。そのヒートシンク１６は、電源基板１９のレギュレータ等で発生する熱を台座１３の足により持ち上げられ形成された下方の空間より放熱する。
【００１６】
そして、台座１３の上方には、アルミ製のカバー１７が載置され、それを貫通するように制御基板１８が２枚、並行直立して設けられている。なお、制御基板１８は内筒である支持部材１２の内部空間に配置される。そして、支持部材１２には、下端より中間部までの一定の幅で、図３に示すようにスリット２０、２０ａが設けられている。
【００１７】
ここでは、そのスリット２０、２０ａは、支持部材１２の径方向に対向して２つ設けられており、裏面側に存在する。そして、その２つのスリット２０、２０ａに対し、支持部材１２の右半外周面に密着して設けられるＬＥＤ基板１５と、左半外周面用に同じように設けられるＬＥＤ基板１５ａが、それぞれスリット２０、２０ａに挿入され取り付けられる。
なお、図１で示されたＬＥＤ基板１５ｂについては、上記と同様である。
【００１８】
あと、内筒の支持部材１２を囲うための外筒のケーシング１６が台座１３に直接載置される。そして、上部蓋１１は、ケーシング１６の上端が嵌め込まれた状態となり設けられている。また、上部蓋１１の下部中央は、支持部材１２とネジ結合するようになっており、確実に上部蓋１１が取り付けられるようになっている。
【００１９】
あと、本考案の一実施の形態にかかる支持部材１２の詳細について、図３を用いて説明する。上が正面図、下が平面図であり、図に示すように、支持部材１２は、円筒形状であり、長手方向の下端部より中間部にかけてスリット２０、２０ａが切欠かれている。そして、支持部材１２の全体の高さは４５．５ｍｍであり、その上部内周面側に、ネジが切られており、その幅の長さは１０ｍｍである。また、支持部材１２の外周は３０φで、内周は２６φである。また、スリット２０、２０ａの長さは２３ｍｍであり、スリット幅は１ｍｍである。なお、支持部材１２の材質は、軽量で熱電率の高いアルミニュームが用いられている。
【００２０】
さらに、本考案の一実施の形態にかかるＬＥＤ基板１５の詳細について、図４を用いて説明する。上が正面図、下が平面図であり、図に示すように、半円弧形状であり、ＬＥＤ２１、２１ａ、２１ｂが６０度の間隔で３つＬＥＤ基板１５に実装されている。また、ＬＥＤ基板１５は、ポリイミド基板で、屈曲自在であるので、支持部材１２の外周面に密着されて取り付けることが可能となる。なお、ＬＥＤ基板１５の両端部と、制御基板１８とは、図２に示すような関係で電気的に接続される。あと、図示しないが、ＬＥＤ基板１５ａと、制御基板１８ａも同様な関係で電気的に接続される。さらに、ＬＥＤ基板１５、１５ａの厚さは０．５ｍｍであり、幅は１０ｍｍである。
【００２１】
以上、本考案の実施例を説明したが、本考案はこの実施例に限定されるものではなく、要旨を逸脱しない範囲での設計変更などがあっても本考案に含まれる。例えば、実施例では、スリットを周方向に１２０度間隔で３本設けられ、ＬＥＤ基板が３つ設けられて実施した場合や、スリットを４本以上にした場合など、また、ＬＥＤ実装の間隔を広げたり狭くしたりする場合の形状など、記載した実施例のものに限定されない。また、実施例では、ＬＥＤの点灯に関しても、周期的に点滅する閃光でも、常時点灯する状態でも、点灯の制御方式に限定されなく、その他どのような形式の点灯の制御方式でもよい。
【産業上の利用可能性】
【００２２】
本考案は主としてＬＥＤを用いたＬＥＤ散光灯に関するものである。
【符号の説明】
【００２３】
１０：ＬＥＤ散光灯、１１：上部蓋、１２：支持部材、１３：台座、１４：ヒートシンク、１５、１５ａ、１５ｂ：ＬＥＤ基板、１６：ケーシング、１７：カバー、１８、１８ａ：制御基板、１９：電源基板、２０、２０ａ：スリット、２１、２１ａ、２１ｂ：ＬＥＤ
【図１】
0003203576.tif 000003
【図２】
0003203576.tif 000004
【図３】
0003203576.tif 000005
【図４】
0003203576.tif 000006